(57)【要約】【課題】使い勝手に優れた撮像装置を提供する。【解決手段】撮像素子１０９から出力された画像信号に基づく画像を表示する第１、第２の表示手段１０１、１０２と、第１の状態と第２の状態とを検出する状態検出手段１０３と、操作手段１０４と、状態検出手段１０３が第１の状態を検出したときは、第1の表示手段１０１に画像を表示させ、状態検出手段１０３が第２の状態を検出したときは、第２の表示手段１０２に画像を表示させるように制御し、操作手段１０４が操作された場合は、画像を表示している表示手段には画像を表示させず、画像を表示していない表示手段に画像を表示させるように切り替えるとともに、操作手段１０４が再度操作されるか、状態検出手段１０３により検出された状態が２回変化するまでは、操作手段１０４が操作されたときに切り替えられた表示手段に画像を継続して表示させるように制御する制御手段１１１と、を備える。【選択図】図３
2010093787.tif 000002
【特許請求の範囲】
【請求項１】
画像を表示する第１及び第２の表示手段と、
第１の状態と第２の状態とを検出する状態検出手段と、
操作を受け付ける操作手段と、
前記状態検出手段が前記第１の状態を検出したときは、前記第1の表示手段に前記画像を表示させ、前記状態検出手段が前記第２の状態を検出したときは、前記第２の表示手段に画像を表示させるように制御し、
前記操作手段が操作された場合、動作させる表示手段を、前記画像を表示している表示手段から、前記画像を表示していない表示手段に切り替え、
前記操作手段が再度操作されるまで、または、前記状態検出手段により検出された状態が２回変化するまでは、前記操作手段が操作されたときに切り替えられた表示手段に前記画像を継続して表示させるように第１及び第２表示手段を制御する制御手段と、
を備えることを特徴とする表示装置。
【請求項２】
前記状態検出手段は、
人または物が所定距離内に接近したことを検出するセンサーである、
ことを特徴とする請求項１に記載の表示装置。
【請求項３】
前記第１の表示手段は、
使用者が接眼することによって表示内容を視認することができる表示手段であり、
前記第２の表示手段は、
使用者が接眼しなくても表示内容を視認することができる表示手段である、
ことを特徴とする請求項１または請求項２に記載の表示装置。
【請求項４】
画像データを記録する記録手段、
をさらに備え、
前記第１及び第２の表示手段は、
前記記録手段に記録された画像データに基づく画像を表示することができる、
ことを特徴とする請求項１から請求項３のいずれかに記載の表示装置。
【請求項５】
前記操作手段は、
プッシュスイッチである、
ことを特徴とする請求項１から請求項４のいずれかに記載の表示装置。
【請求項６】
被写体の画像信号を出力する撮像素子と、
前記撮像素子から出力された画像信号に基づく画像を表示する第１及び第２の表示手段と、
第１の状態と第２の状態とを検出する状態検出手段と、
操作を受け付ける操作手段と、
前記状態検出手段が前記第１の状態を検出したときは、前記第1の表示手段に前記画像信号に基づく画像を表示させ、前記状態検出手段が前記第２の状態を検出したときは、前記第２の表示手段に前記画像信号に基づく画像を表示させるように制御し、
前記操作手段が操作された場合は、動作させる表示手段を、前記画像信号に基づく画像を表示している表示手段から、前記画像信号に基づく画像を表示していない表示手段にに切り替え、
前記操作手段が再度操作されるまで、または、前記状態検出手段により検出された状態が２回変化するまでは、前記操作手段が操作されたときに切り替えられた表示手段に前記画像信号に基づく画像を継続して表示させるように第１及び第２の表示手段を制御する制御手段と、
を備えることを特徴とする撮像装置。
【請求項７】
前記状態検出手段は、
人または物が所定距離内に接近したことを検出するセンサーである、
ことを特徴とする請求項６に記載の撮像装置。
【請求項８】
前記第１の表示手段は、
使用者が接眼することによって表示内容を視認することができる表示手段であり、
前記第２の表示手段は、
使用者が接眼しなくても表示内容を視認することができる表示手段である、
ことを特徴とする請求項６または請求項７に記載の撮像装置。
【請求項９】
前記画像信号に基づく画像データを記録する記録手段、
をさらに備え、
前記第１、第２の表示手段は、
前記記録手段に記録されている画像データに基づく画像を表示することができる、
ことを特徴とする請求項６から請求項８のいずれかに記載の撮像装置。
【請求項１０】
前記操作手段は、
プッシュスイッチである、
ことを特徴とする請求項６から請求項９のいずれかに記載の撮像装置。
【請求項１１】
複数の状態を検出する状態検出手段と、
操作を受け付ける操作手段と、
前記状態検出手段が検出した状態に対応して動作を切り替える自動モードと、
前記自動モードにおいて、前記操作手段が操作されたときに、前記操作に対応した動作に切り替える強制モードと、
を有し、
前記強制モードにおいて、前記状態検出手段が状態の変化を検出すると、前記自動モードに復帰する、
ことを特徴とする撮像装置。
【発明の詳細な説明】
【技術分野】
【０００１】
本発明は、画像を表示する表示装置および被写体の画像データを記録する撮像装置に関するものであり、より詳しくは、２つの表示手段を備える表示装置および撮像装置に関するものである。
【背景技術】
【０００２】
特許文献１は、複数の表示手段を備える撮像装置に関するものである。特許文献１に記載の撮像装置は、電子式ビューファインダーと、液晶モニターと、ファインダーへの接眼（ファインダーにユーザの一瞳が近接した状態）を検出するセンサとを備える。その撮像装置は、センサによりファインダーへの接眼（ファインダーに人（ユーザ）の瞳が近接した状態）が検出されたときは、第１の表示手段に画像の表示を行い、接眼が検出されないときは、第２の表示手段に画像の表示を行う。つまり、表示手段がセンサの検出結果に基づいて自動的に切り替えられるようになっている。
【０００３】
また、他の撮像装置として、ユーザがスライドスイッチや回転式スイッチを操作することにより、前述のような接眼の有無によって電子式ビューファインダーによる表示と液晶モニターによる表示とを自動的に切り替える表示モードと、電子式ビューファインダーによる表示モードと、液晶モニターによる表示モードとを、選択的に切り替えることができる撮像装置が知られている。
【先行技術文献】
【特許文献】
【０００４】
【特許文献１】特開２００４−２０１１０４号公報
【発明の概要】
【発明が解決しようとする課題】
【０００５】
ところで、特許文献１に記載の撮像装置では、接眼が検出されたときまたは接眼が検出されていないときに、画像が表示されていない方の表示手段に表示を切り替えることができないという課題がある。また、スライドスイッチや回転式スイッチを備えた撮像装置においては、これらのスイッチを操作することにより、表示手段を切り替えることができるが、切替の都度、スイッチ操作を行う必要があり、ユーザ操作が非常に煩雑となる。
【０００６】
本発明は、前記表示手段の切替に関する問題を解消し、使い勝手に優れた表示装置および撮像装置を提供することを目的とする。
【課題を解決するための手段】
【０００７】
前記課題を解決するために、本発明の表示装置は、画像を表示する第１及び第２の表示手段と、第１の状態と第２の状態とを検出する状態検出手段と、操作を受け付ける操作手段と、前記状態検出手段が前記第１の状態を検出したときは、前記第1の表示手段に前記画像を表示させ、前記状態検出手段が前記第２の状態を検出したときは、前記第２の表示手段に画像を表示させるように制御し、前記操作手段が操作された場合、動作させる表示手段を、前記画像を表示している表示手段から、前記画像を表示していない表示手段に切り替え、前記操作手段が再度操作されるまで、または、前記状態検出手段により検出された状態が２回変化するまでは、前記操作手段が操作されたときに切り替えられた表示手段に前記画像を継続して表示させるように第１及び第２表示手段を制御する制御手段と、を備えることを特徴とする。
【０００８】
前記課題を解決するために、本発明の撮像装置は、被写体の画像信号を出力する撮像素子と、前記撮像素子から出力された画像信号に基づく画像を表示する第１及び第２の表示手段と、第１の状態と第２の状態とを検出する状態検出手段と、操作を受け付ける操作手段と、前記状態検出手段が前記第１の状態を検出したときは、前記第1の表示手段に前記画像信号に基づく画像を表示させ、前記状態検出手段が前記第２の状態を検出したときは、前記第２の表示手段に前記画像信号に基づく画像を表示させるように制御し、前記操作手段が操作された場合は、動作させる表示手段を、前記画像信号に基づく画像を表示している表示手段から、前記画像信号に基づく画像を表示していない表示手段に切り替え、前記操作手段が再度操作されるまで、または、前記状態検出手段により検出された状態が２回変化するまでは、前記操作手段が操作されたときに切り替えられた表示手段に前記画像信号に基づく画像を継続して表示させるように第１及び第２の表示手段を制御する制御手段と、を備えることを特徴とする。
【０００９】
前記課題を解決するために、本発明の撮像装置は、複数の状態を検出する状態検出手段と、操作を受け付ける操作手段と、前記状態検出手段が検出した状態に対応して動作を切り替える自動モードと、前記自動モードにおいて、前記操作手段が操作されたときに、前記操作に対応した動作に切り替える強制モードと、を有し、前記強制モードにおいて、前記状態検出手段が状態の変化を検出すると、前記自動モードに復帰する、ことを特徴とする。
【発明の効果】
【００１０】
本発明によれば、状態検出手段が検出した状態に基づいていずれかの表示手段に画像が表示されているときであっても、操作手段が操作されると、画像が表示されていない表示手段に表示が切り替えられる。また、操作手段が操作されることによって、画像が表示されていない表示手段に表示が切り替えられた場合であっても、操作手段が再度操作されるまで、または、状態検出手段により状態の変化が２回検出されるまでは、操作手段が操作されたときに切り替えられた表示手段に画像を継続して表示させる。すなわち、表示手段を切り替えたいときに一度だけ操作手段を操作することにより所望の表示手段に切り替えられ、その後状態検出手段により状態の変化が２回検出されると自動で元の表示手段に切り替えられる。したがって、撮像装置の使い勝手が向上することとなる。
【図面の簡単な説明】
【００１１】
【図１】本発明の実施の形態の一例であるデジタルカメラの前面を示す斜視図
【図２】本発明の実施の形態の一例であるデジタルカメラの背面を示す斜視図
【図３】本発明の実施の形態の一例であるデジタルカメラの構成を示すブロック図
【図４】本発明の実施の形態の一例であるデジタルカメラの動作を示す状態遷移図
【発明を実施するための形態】
【００１２】
（実施の形態）
１．構成
本発明の実施の形態について、図面を参照しながら詳細に説明する。
【００１３】
図1は、本発明の実施の形態の一例であるデジタルカメラの前面を示す斜視図である。本発明の実施の形態の一例であるデジタルカメラは、カメラ本体１００とカメラ本体１００に着脱可能な交換レンズ２００とから構成されている。
【００１４】
図２は、本発明の実施の形態の一例であるデジタルカメラの背面を示す斜視図である。本発明の実施の形態の一例であるデジタルカメラの背面には、電子式ビューファインダー１０１と液晶モニター１０２が備えられている。電子式ビューファインダー１０１の近傍には、接眼検出センサー１０３が備えられている。カメラ本体１００の背面の左上には、切替ボタン１０４が備えられている。
【００１５】
図３は、本発明の実施の形態の一例であるデジタルカメラの構成を示すブロック図である。本発明の実施の形態の一例であるカメラ本体１００は、電子式ビューファインダー１０１、液晶モニター１０２、接眼検出センサー１０３、切替ボタン１０４、メモリーカードスロット１０５、モードダイアル１０６、レリーズボタン１０７、シャッター１０８、撮像素子１０９、信号処理回路１１０、本体制御回路１１１を備える。
【００１６】
交換レンズ２００は、対物レンズ２０１、ズームレンズ２０２、絞り機構２０３、フォーカスレンズ２０４、レンズ制御回路２０５を備える。
【００１７】
ズームレンズ２０２は、光軸Ｌ上を進退することで、交換レンズ２００の焦点距離を変える。絞り機構２０３は、開口部の面積を変えることで、交換レンズ２００を通過する光の量を変える。フォーカスレンズ２０４は、光軸Ｌ上を進退することで、交換レンズ２００を通過する光を撮像素子１０９に合焦させる。レンズ制御回路２０５は、本体制御回路１１１と通信して、ズームレンズ２０２、絞り機構２０３、フォーカスレンズ２０４の動きを制御する。
【００１８】
電子式ビューファインダー１０１は、ユーザが接眼することによって画像（表示内容）を視認することができる表示手段である。電子式ビューファインダー１０１を利用することにより、両手と顔の一部で本デジタルカメラを支えることができ、安定して構図を決めることができる。
【００１９】
液晶モニター１０２は、ユーザが接眼しなくても画像（表示内容）を視認することができる表示手段である。液晶モニター１０２を利用することにより、比較的大きな画面で画像を視認することができるとともに、三脚を使用した植物のマクロ撮影などのように、電子式ビューファインダー１０１に接眼することが困難な状況においても容易に画像を視認することができる。また、液晶モニター１０２は、カメラ本体１００に対する角度を変えることができるように構成されている。
【００２０】
接眼検出センサー１０３は、物体（人を含む）が所定距離内に接近したことを検出可能な近接検出センサーにより構成され、前記電子式ビューファインダー１０１に人（ユーザ）の眼が近接した状態（接眼状態）であることを検出する。
【００２１】
切替ボタン１０４は、押圧操作されたときに瞬間的に導通するプッシュスイッチにより構成され、操作されることによって電子式ビューファインダー１０１と液晶モニター１０２とを切り替えるためのトリガとなる信号を発生する。このようなプッシュスイッチは、スライドスイッチや回転式スイッチよりも安価であり、設置面積も少なくて済む。切替ボタン１０４は、両手で本デジタルカメラを構えたときに、左手親指の近傍に配されるのが使い勝手の点から好ましい。
【００２２】
モードダイアル１０６は、ユーザがデジタルカメラの動作モードを設定するための操作部材である。動作モードには、画像撮影時に選択される撮影モードと、記録した画像の再生時に選択される再生モードがある。
【００２３】
本体制御回路１１１は、接眼検出センサー１０３、切替ボタン１０４、モードダイアル１０６、レリーズボタン１０７の状態を監視し、シャッター１０８、撮像素子１０９、信号処理回路１１０の動きを制御する。また、レンズ制御回路２０５と通信して、交換レンズ２００全体の動きを制御する。図３では、本体制御回路１１１とレンズ制御回路２０５との通信経路は図示していない。
【００２４】
２．動作
以上のように構成されるデジタルカメラの動作を以下に説明する。
【００２５】
モードダイアル１０６によって撮影モードが選択されているとき、シャッター１０８は開状態であって、撮像素子１０９の露光量は、絞り機構２０３と電子シャッターで調整されている。交換レンズ２００は、被写体の像を撮像素子１０９に結像させる。撮像素子１０９は、被写体の像に対応した画像信号を信号処理回路１１０に出力する。信号処理回路１１０は、画像信号に所定の処理を施して映像信号を生成し、この映像信号を電子式ビューファインダー１０１または液晶モニター１０２に出力する。レリーズボタン１０７が押下されると、撮像素子１０９に蓄積された電荷が引き抜かれた後、シャッター１０８が所定の時間だけ開状態に制御される。信号処理回路１１０は、撮像素子１０９から出力された画像信号に所定の処理を施した画像データをメモリーカードスロット１０５に装着されたメモリーカードに記録する。
【００２６】
一方、モードダイアル１０６によって再生モードが選択されているときは、信号処理回路１１０は、メモリーカードスロット１０５に装着されたメモリーカードに記録された画像データを読み出して、読み出した画像データに所定の処理を施して映像信号を生成し、この映像信号を電子式ビューファインダー１０１または液晶モニター１０２に出力する。
【００２７】
つまり、本実施の形態においては、モードダイアル１０６によって撮影モードが選択されているときは、電子式ビューファインダー１０１または液晶モニター１０２に、被写体の像に対応した画像信号に基づく画像が表示される。一方、モードダイアル１０６によって再生モードが選択されているときは、電子式ビューファインダー１０１または液晶モニター１０２に、メモリーカードスロット１０５に装着されたメモリーカードに記録された画像データに基づく画像が表示される。以降の説明では、適宜、被写体の像に対応した画像信号に基づく画像またはメモリーカードスロット１０５に装着されたメモリーカードに記録された画像データに基づく画像を単に「画像」と称す。
【００２８】
本実施の形態のデジタルカメラは、表示手段の切替モードとして自動切替モードを備えている。この自動切替モードが選択されている場合、接眼検出センサー１０３及び切替ボタン１０４の検出結果にしたがって、電子式ビューファインダー１０１または接眼検出センサー１０３に画像が表示される。すなわち、接眼検出センサー１０３が接眼を検出しているときは、電子式ビューファインダー１０１に画像が表示される。一方、接眼検出センサー１０３が接眼を検出していないときは、液晶モニター１０２に画像が表示される。
【００２９】
一方、電子式ビューファインダー１０１または液晶モニター１０２に画像が表示されているときに、切替ボタン１０４が操作されると、接眼検出センサー１０３が接眼検出結果にかかわらず、動作させる表示手段を現在画像が表示されている表示手段から、現在画像が表示されていない表示手段に切り替える。例えば、電子式ビューファインダー１０１に画像が表示されているときに、切替ボタン１０４が操作されると、動作させる表示手段を液晶モニター１０２に切り替える。一方、液晶モニター１０２に画像が表示されているときに、切替ボタン１０４が操作されると、動作させる表示手段を電子式ビューファインダー１０１に切り替える。
【００３０】
切替ボタン１０４が操作されて表示手段が切り替えられた場合、切替ボタン１０４が再度操作されるまで、または、接眼検出センサー１０３により検出された状態が２回変化するまでは、切替ボタン１０４が操作されたときに切り替えられた表示手段に画像を継続して表示する。例えば、接眼検出センサー１０３が接眼を検出した状態で電子式ビューファインダー１０１に画像が表示されている場合に、切替ボタン１０４が操作されて、動作させる表示手段が液晶モニター１０２に切り替えられた場合、切替ボタン１０４が再度操作されるまで、または、接眼検出センサー１０３が接眼を検出した状態から接眼を検出しない状態に変化し、さらに、接眼を検出しない状態から接眼を検出した状態に変化するまでは、液晶モニター１０２に画像を継続して表示する。一方、接眼検出センサー１０３が接眼を検出しない状態で液晶モニター１０２に画像が表示されている場合に、切替ボタン１０４が操作されて、電子式ビューファインダー１０１に動作させる表示手段が切り替えられたときは、切替ボタン１０４が再度操作されるまで、または、接眼検出センサー１０３が接眼を検出しない状態から接眼を検出した状態に変化し、さらに、接眼を検出した状態から接眼を検出しない状態に変化するまでは、電子式ビューファインダー１０１に画像を継続して表示する。
【００３１】
このように構成することで、切替ボタン１０４が操作されることにより、接眼検出センサー１０３が検出した状態に対応した表示手段ではない表示手段に強制的に切り替えたときに、接眼検出センサー１０３が検出した状態に対応した表示手段に戻されることを防止できる。なお、切替ボタン１０４による強制的な表示手段の切替の効果は、接眼検出センサー１０３により状態の変化が２回検出されると失われる。例えば、電子式ビューファインダー１０１の視認中に切替ボタン１０４を操作し、動作させる表示手段を液晶モニタ１０２に切り替えた後、接眼を解除し、液晶モニター１０２を視認した場合、液晶モニター１０２に画像が表示されている。その後再度接眼すれば、表示手段が切り替えられ、電子式ビューファインダー１０１に画像が表示される。一方、液晶モニター１０２の視認中に切替ボタン１０４を操作し、動作させる表示手段を電子ビューファインダー１０１に切り替えた後、接眼し、電子式ビューファインダー１０１を視認した場合、電子式ビューファインダー１０１に画像が表示されている。その後接眼を解除すれば、表示手段が切り替えられ、液晶モニター１０２に画像が表示される。
【００３２】
なお、電子式ビューファインダー１０１は第1の表示手段の一例であり、液晶モニター１０２は第２の表示手段の一例である。接眼検出センサー１０３は状態検出手段の一例であり、切替ボタン１０４は操作手段の一例である。メモリーカードスロット１０５は、本発明の記録手段の一例である。本体制御回路１１１は、制御手段の一例である。
【００３３】
図４は、本実施の形態のデジタルカメラの動作を示す状態遷移図である。
【００３４】
デジタルカメラの電源がＯＮされると（Ｓ１）、本体制御回路１１１は、表示手段の自動切替モードが設定されているか否かを確認する（Ｓ２）。表示手段の自動切替モードは、図示しないボタンを用いて設定することができる。なお、表示手段の自動切替モードは、ボタンなどの物理的な構造に限定されず、セットアップメニューを用いてソフト的に設定してもよい。
【００３５】
表示手段の自動切替モードが設定されていない場合は、切替ボタン１０４で電子式ビューファインダー１０１の表示と液晶モニター１０２の表示とを切り替えることができる（Ｓ３）。このとき、接眼検出センサー１０３が接眼を検出しているか否かは考慮されず、接眼の有無によって電子式ビューファインダー１０１の表示と液晶モニター１０２の表示とが自動的に切り替わることはない。
【００３６】
一方、表示手段の自動切替モードが設定されている場合は、接眼検出センサー１０３の状態を確認する（Ｓ４）。接眼検出センサー１０３が接眼を検出している場合は、電子式ビューファインダー１０１に画像を表示し（Ｓ５）、接眼検出センサー１０３が接眼を検出していない場合は、液晶モニター１０２に画像を表示する（Ｓ６）。接眼検出センサー１０３により検出されている状態が変化するごとに、「電子式ビューファインダー１０１表示」状態（Ｓ５）と「液晶モニター表示」状態（Ｓ６）とが切り替わる（Ｓ７、Ｓ８）。
【００３７】
「電子式ビューファインダー１０１表示」状態（Ｓ５）において、切替ボタン１０４が操作されると（Ｓ１１）、「液晶モニター１０２強制表示」状態（Ｓ１０）に移行して、液晶モニター１０２に画像を表示するように切り替わる。「液晶モニター１０２強制表示」状態（Ｓ１０）において、切替ボタン１０４が操作されると（Ｓ１２）、「電子式ビューファインダー１０１表示」状態（Ｓ５）に移行して、電子式ビューファインダー１０１に画像を表示するように切り替わる。
【００３８】
「液晶モニター１０２表示」状態（Ｓ６）において、切替ボタン１０４が操作されると（Ｓ１３）、「電子式ビューファインダー１０１強制表示」状態（Ｓ９）に移行して、電子式ビューファインダー１０１に画像を表示するように切り替わる。一方、「電子式ビューファインダー１０１強制表示」状態（Ｓ９）において、切替ボタン１０４が操作されると（Ｓ１４）、「液晶モニター１０２表示」状態（Ｓ６）に移行して、液晶モニター１０２に画像を表示するように切り替わる。
【００３９】
「電子式ビューファインダー１０１強制表示」状態（Ｓ９）においては、接眼検出センサー１０３が接眼を検出していない場合（Ｓ１５）、電子式ビューファインダー１０１に画像を継続して表示する。接眼検出センサー１０３が接眼を検出すると（Ｓ１６）、「電子式ビューファインダー１０１表示」状態（Ｓ５）に移行する。このとき、電子式ビューファインダー１０１には画像が継続して表示されているので外観上動作させる表示手段の変化はないが、接眼検出センサー１０３により検出された状態が、接眼を検出していない状態から接眼を検出している状態へ１回目の変化を生じたこととなる。「電子式ビューファインダー１０１表示」状態（Ｓ５）において、接眼検出センサー１０３が接眼を検出しなくなると（Ｓ８）、「液晶モニター１０２表示」状態（Ｓ６）に移行して、液晶モニター１０２に画像を表示する。このとき、接眼検出センサー１０３により検出された状態が、接眼を検出している状態から接眼を検出していない状態へ２回目の変化を生じたこととなる。
【００４０】
一方、「液晶モニター１０２強制表示」状態（Ｓ１０）においては、接眼検出センサー１０３が接眼を検出している場合（Ｓ１７）、液晶モニター１０２に画像を継続して表示する。接眼検出センサー１０３が接眼を検出しなくなると（Ｓ１８）、「液晶モニター１０２表示」状態（Ｓ６）に移行する。このとき、液晶モニター１０２には画像が継続して表示されているので外観上動作させる表示手段の変化はないが、接眼検出センサー１０３により検出された状態が、接眼を検出している状態から接眼を検出していない状態へ１回目の変化を生じたこととなる。「液晶モニター１０２表示」状態（Ｓ６）において、接眼検出センサー１０３が接眼を検出すると（Ｓ７）、「電子式ビューファインダー１０１表示」状態（Ｓ５）に移行して、電子式ビューファインダー１０１に画像を表示する。このとき、接眼検出センサー１０３により検出された状態が、接眼を検出していない状態から接眼を検出している状態へ、２回目の変化を生じたこととなる。
【００４１】
このように、「電子式ビューファインダー１０１強制表示」状態（Ｓ９）または「液晶モニター１０２強制表示」状態（Ｓ１０）においては、本体制御回路１１１は、切替ボタン１０４が再度操作されるまで、または、接眼検出センサー１０３により検出された状態が２回変化するまでは、それぞれ電子式ビューファインダー１０１または液晶モニター１０２への画像の表示を継続するように制御する。
【００４２】
なお、「電子式ビューファインダー１０１表示」状態（Ｓ５）と「液晶モニター１０２表示」状態（Ｓ６）は、自動モードの一例である。「電子式ビューファインダー１０１強制表示」状態（Ｓ９）と「液晶モニター１０２強制表示」状態（Ｓ１０）は、本発明の強制モードの一例である。すなわち、強制モードである「電子式ビューファインダー１０１強制表示」状態（Ｓ９）においては、接眼検出センサー１０３により検出された状態が、接眼を検出していない状態から接眼を検出している状態へ変化すると、自動モードである「電子式ビューファインダー１０１表示」状態（Ｓ５）に復帰する。一方、強制モードである「液晶モニター１０２強制表示」状態（Ｓ１０）においては、接眼検出センサー１０３により検出された状態が、接眼を検出している状態から接眼を検出していない状態へ変化すると、自動モードである「液晶モニター１０２表示」状態（Ｓ６）に復帰する。
【００４３】
３．まとめ
以上のように、本実施の形態のデジタルカメラによれば、接眼検出センサー１０３が検出した状態に基づいて電子式ビューファインダー１０１と液晶モニター１０２とのいずれかの表示手段に画像が表示されているときであっても、切替ボタン１０４が操作されると、画像が表示されていない表示手段に強制的に表示手段が切り替えられる。また、切替ボタン１０４が操作されることによって、表示手段が強制的に切り替えられた場合、切替ボタン１０４が再度操作されるまで、または、接眼検出センサー１０３により状態の変化が２回検出されるまでは、切り替えられた表示手段に画像を継続して表示させる。すなわち、自動切替モードが選択されているときでも、強制切替が可能となると共に、一時的に強制的に表示手段を切り替えたいときは一度だけ切替ボタン１０４を操作することにより所望の表示手段に切り替えることができる。その後接眼検出センサー１０３により状態の変化が２回検出されると自動で元の表示手段に戻ることとなる。このような表示手段の切替により、デジタルカメラの使い勝手を向上できる。
【００４４】
自動切替モード中に強制的に表示手段を切り替えるという要求の例としては、以下のような場合がある。例えば、液晶モニター１０２により画像の確認等を行っているときに、デジタルカメラをユーザの肩等に掛けるためのストラップが、接眼検出センサー１０３に対して所定距離内に接近し、その結果、接眼検出センサー１０３が人の眼が接近したものと誤検出し、電子式ビューファインダー１０１に切り替えられる場合がある。このような場合に、切替ボタン１０４を操作することにより、自動切替モードに設定中においても、画像を表示する表示手段を一時的に強制的に液晶モニター１０２に切り替えることが可能となる。例えば、使用者が可動タイプの液晶モニター１０２を所望の位置に移動させて画像を視認したい場合に、液晶モニター１０２またはストラップが接眼検出センサー１０３に近接した位置に配置されることがある、その場合、デジタルカメラが自動切替モードに設定されていると、接眼検出センサー１０３が液晶モニター１０３を誤検出してしまい、自動的に電子式ビューファインダー１０１に切り替えられてしまうというおそれがある。そのような場合に、本実施形態の表示手段の切替方法によれば、容易に表示手段を液晶モニター１０２に切り替えることができ、使用者の便宜を図ることができる。
【００４５】
４．その他の実施の形態
本実施の形態では、レンズ交換方式のデジタルカメラを示したが、これに限定されるものではない。レンズを交換することができないデジタルカメラでもよい。さらに、広く一般に２つの表示手段を備える表示装置であればよい。
【００４６】
また、本実施の形態では、第１の表示手段に電子式ビューファインダー１０１を、第２の表示手段に液晶モニター１０２をそれぞれ示したが、表示手段は、これに限定されるものではない。第１の表示手段と第２の表示手段とは、どのような表示手段であってもよい。
【００４７】
また、本実施の形態では、状態検出手段に接眼検出センサー１０３を示したが、状態検出手段はこれに限定されるものではない。単なる近接検出センサーでもよい。さらに、広く一般に異なる２つの状態を検出できる状態検出手段であればよい。
【００４８】
また、本実施の形態では、記録手段にメモリーカードスロット１０５を示したが、記録手段はこれに限定されるものではない。画像データを記録できる記録手段であればよい。
【００４９】
また、本実施の形態では、電子式ビューファインダー１０１と液晶モニター１０２との切り替えを示したが、この構成に限定されるものではない。操作手段によって、自動モードから強制モードに切り替えられたときに、状態検出手段により検出された状態が変化することによって、自動モードに復帰するように構成された撮像装置であればよい。例えば、撮影対象を認識してその撮影対象に応じた設定を自動で行う機能を有する撮像装置において、撮影対象が人物であると撮像装置が認識した場合を想定する。このとき、撮影対象が風景である場合の設定に強制的に切り替えられたとしても、撮像装置が撮影対象の変化を認識すると、撮影対象を認識してその撮影対象に応じた設定を自動で行う状態に復帰するような実施例も考えられる。
【産業上の利用可能性】
【００５０】
本発明によれば、操作手段が操作されることによって、画像が表示されていない表示手段に表示が切り替えられた場合であっても、操作手段が再度操作されるか、状態検出手段により検出された状態が２回変化するまでは、操作手段が操作されたときに切り替えられた表示手段に画像を継続して表示させることができるので、使い勝手に優れた表示装置および撮像装置を提供することができる。したがって、複数の表示手段を有する表示装置および撮像装置に適用して有用である。
【符号の説明】
【００５１】
１００  カメラ本体
１０１  電子式ビューファインダー
１０２  液晶モニター
１０３  接眼検出センサー
１０４  切替ボタン
１０５  メモリーカードスロット
１０６  モードダイアル
１０７  レリーズボタン
１０８  シャッター
１０９  撮像素子
１１０  信号処理回路
１１１  本体制御回路
２００  交換レンズ
２０１  対物レンズ
２０２  ズームレンズ
２０３  絞り機構
２０４  フォーカスレンズ
２０５  レンズ制御回路
【図１】
2010093787.tif 000003
【図２】
2010093787.tif 000004
【図３】
2010093787.tif 000005
【図４】
2010093787.tif 000006